(57)【要約】【課題】市販されている造花を利用し、簡単な加工で造花以上の華やかさや艶やかさ等の華燭性を備えたフラワー装飾品を製造する。【解決手段】造花１の花蕊部材１３を花冠部材１１から引き抜いて花冠部材１１の中央部分に差し込み孔２１を形成し、花蕊代替えのヘッド部材２３に差し込み線材２５を連結させと、差し込み線材２５を差し込み孔２１に差し込んで花冠部材１１から引き出すと共にヘッド部材２３を花冠部材１１の中央部分に配置し、花冠部材１１から引き出された差し込み線材２５にテープ２６を巻き付けて差し込み孔２１の出口部分を塞ぐと共に差し込み線材２５を差し込み孔２１から抜け止めすることにより一の装飾花２を作製する。【選択図】図５
2015001032.tif 000002
【特許請求の範囲】
【請求項１】
花蕊部材が花冠部材から伸びている造花を用いてフラワー装飾品を製造する方法であって、
前記花蕊部材を前記花冠部材から引き抜くことにより、花冠部材の中央部分を貫通した差し込み孔を形成する第１ステップと、
花蕊代替えのヘッド部材に差し込み線材を連結させて差し込み線材に取り付ける第２ステップと、
前記差し込み線材を前記差し込み孔に差し込んで前記花冠部材から引き出すと共に前記ヘッド部材を前記花冠部材の中央部分に配置する第３ステップと、
前記花冠部材から引き出された差し込み線材にテープを巻き付けて前記差し込み孔の出口部分を塞ぐと共に前記差し込み線材を差し込み孔から抜け止めする第４ステップとによって一の装飾花を作製し、
前記一の装飾花を他の装飾花又は他の造花と組み合わせることを特徴とするフラワー装飾品の製造方法。
【請求項２】
前記一の装飾花の差し込み線材と他の装飾花の差し込み線材又は他の造花の茎部とを束ね、この束ね部分にベース布を被せた後、前記装飾花の花冠部材又は造花の花冠部材とベース布とを糸で縫い付けることを特徴とする請求項１記載のフラワー装飾品の製造方法。
【請求項３】
前記ヘッド部材は、真珠等の宝玉、その模造品、ガラス玉又はビーズであることを特徴とする請求項１又は請求項２記載のフラワー装飾品の製造方法。
【請求項４】
前記ヘッド部材は、真珠等の宝玉、その模造品、ガラス玉その他の身飾品が交換可能に取り付けられるリング体であることを特徴とする請求項１又は請求項２記載のフラワー装飾品の製造方法。
【請求項５】
花蕊部材が花冠部材の中央部分から伸びている造花を用いたフラワー装飾品であって、請求項１乃至請求項４のいずれか１項に記載の製造方法によって製造されたことを特徴とするフラワー装飾品。
【発明の詳細な説明】
【技術分野】
【０００１】
本発明は、衣服、頭髪、バッグ等の携帯品に取り付けて用いたり、室内の装飾品として用いるフラワー装飾品を製造するための方法及びフラワー装飾品に関する。
【背景技術】
【０００２】
フラワー装飾品は衣服、携帯品等の対象物に華やかさ、艶やかさを付与するために使用されるものであり、一般的に造花が用いられている。フラワー装飾品を製造する従来技術として、特許文献１及び２には、花弁を薄板の打ち抜き等によって形成し、この花弁を用いて造花を製造することが記載されている。
【０００３】
これに加えて、特許文献１では、複数の花弁を接着して花冠部材を作製し、この花冠部材に打ち抜きやドリル加工によって貫通孔を形成し、その後、雌しべ等に対応した装飾部材に連結したワイヤを貫通孔に通すことにより花冠部材と装飾部材とを組み付けて造花としている。
【０００４】
特許文献２では、花弁をガラス、セラミックス、金属等の光沢材料によって作製する一方、萼部材に貫通孔を形成している。そして、複数の花弁を萼部材に接着して花冠部材を作製し、その後、萼部材の貫通孔に雌しべ等に対応した花心部材を通して組み付けることにより造花としている。
【先行技術文献】
【特許文献】
【０００５】
【特許文献１】特開２００６−３２８５６９号公報
【特許文献２】特開２００９−２４９７６０号公報
【発明の概要】
【発明が解決しようとする課題】
【０００６】
従来技術では、花弁の作製、貫通孔の形成、花冠部材の作製、貫通孔への挿通による組み付け等の工程を経て造花を製造することから工程が複雑であり、高度な技術を要し、製造が面倒となっている。又、装飾性を付与するためには、造花の製造に加えて、リボン等の飾りの取り付けや着色等の付加工程が必要となる問題がある。
【０００７】
本発明は、このような従来の問題点を考慮してなされたものであり、造花を製造するのではなく、製造されて既に市販されている造花を利用すると共に、簡単な加工で造花以上の華やかさや艶やかさ等の華燭性を備え、造花以上の商品価値を付与されたフラワー装飾品を製造する方法及びフラワー装飾品を提供することを目的とする。
【課題を解決するための手段】
【０００８】
本発明のフラワー装飾品の製造方法は、花蕊部材が花冠部材から伸びている造花を用いてフラワー装飾品を製造する方法であって、前記花蕊部材を前記花冠部材から引き抜くことにより、花冠部材の中央部分を貫通した差し込み孔を形成する第１ステップと、花蕊代替えのヘッド部材に差し込み線材を連結させて差し込み線材に取り付ける第２ステップと、  前記差し込み線材を前記差し込み孔に差し込んで前記花冠部材から引き出すと共に前記ヘッド部材を前記花冠部材の中央部分に配置する第３ステップと、前記花冠部材から引き出された差し込み線材にテープを巻き付けて前記差し込み孔の出口部分を塞ぐと共に前記差し込み線材を差し込み孔から抜け止めする第４ステップとによって一の装飾花を作製し、  前記一の装飾花を他の装飾花又は他の造花と組み合わせることを特徴とする。
【０００９】
この場合、前記一の装飾花の差し込み線材と他の装飾花の差し込み線材又は他の造花の茎部とを束ね、この束ね部分にベース布を被せた後、前記装飾花の花冠部材又は造花の花冠部材とベース布とを糸で縫い付けることが良好である。
又、前記ヘッド部材は、真珠等の宝玉、その模造品、ガラス玉又はビーズであることが良好である。
又、前記ヘッド部材は、真珠等の宝玉、その模造品、ガラス玉その他の身飾品が交換可能に取り付けられるリング体であることが良好である。
【００１０】
本発明のフラワー装飾品は、花蕊部材が花冠部材の中央部分から伸びている造花を用いたフラワー装飾品であり、以上の製造方法によって製造されたことを特徴とする。
【図面の簡単な説明】
【００１１】
【図１】本発明のフラワー装飾品の製造の原材料となる増加を示す部分破断斜視図である。
【図２】花蕊部材を引き抜いた状態を示す部分破断斜視図である。
【図３】差し込み線材を花冠部材に差し込んだ当初の状態を示す部分破断斜視図である。
【図４】差し込み線材を花冠部材に差し込んだ状態を示す部分破断斜視図である。
【図５】差し込み線材にテープを巻き付けて装飾花とした状態を示す部分破断斜視図である。
【図６】装飾花及び造花を組み合わせてブーケ状としたフラワー装飾品を示す斜視図である。
【図７】フラワー装飾品をベース布に取り付けた状態を示す裏側からの斜視図である。
【図８】完成したフラワー装飾品を示す斜視図である。
【図９】本発明の別の実施形態を示す分解斜視図である。
【図１０】本発明の別の実施形態の装飾花を示す部分破断斜視図である。
【発明を実施するための形態】
【００１２】
以下、本発明の一実施形態を具体的に説明する。図１〜図６に示すように、本発明のフラワー装飾品の製造方法は、花蕊部材１３が花冠部材１１から伸びている造花１（図１）を用いてフラワー装飾品を製造するものである。そして、花蕊部材１３を花冠部材１１から引き抜くことにより（図１）、花冠部材１１の中央部分を貫通した差し込み孔２１を形成する第１ステップ（図２）と、花蕊代替えのヘッド部材２３に差し込み線材２５を連結させて差し込み線材２５に取り付ける第２ステップ（図３）と、差し込み線材２５を差し込み孔２１に差し込んで花冠部材１１から引き出すと共にヘッド部材２３を花冠部材１１の中央部分に配置する第３ステップ（図４）と、花冠部材１１から引き出された差し込み線材２５にテープ２６を巻き付けて差し込み孔２１の出口部分を塞ぐと共に差し込み線材２５を差し込み孔２１から抜け止めする第４ステップ（図５）とによって一の装飾花２を作製するものである。そして、作製した一の装飾花２を他の装飾花又は他の造花と組み合わせるものである（図６）。
【００１３】
本発明において、「花蕊」（カズイ）とは造花における雌しべと雄しべの総称、「花冠」（カカン）とは造花における複数の花弁の集合体をいう。ここで「花弁」とは造花における萼の内側で雌しべと雄しべを保護する小片、すなわち花びらを指す。
【００１４】
本発明は、既に製造され市販されている造花１を用い、この造花１に対して簡単な加工を行うことにより市販の造花では備えることができない華燭性及び使用の汎用性を備えたフラワー装飾品とするものである。
【００１５】
図１は本実施形態のフラワー装飾品の原材料としての市販されている造花１の一例を示す。造花１は複数の花弁１２によって花形状に形成された花冠部材１１と、花冠部材１１に取り付けられた花蕊部材１３とを備えている。花弁１２は薄い布地、特にシルク生地を用いることが良好であり、シルク生地からなる花弁１２の集合体からなる花冠部材１１は全体としてソフトで穏やかな感じを醸し出すことができる。
【００１６】
花冠部材１１の中央部分には軸部１４が設けられており、複数の花弁１２は軸部１４から放射方向に広がっている。軸部１４は軸方向に貫通した貫通孔を備えた筒状に形成されている。符号１５は花冠部材１１の下部に設けられた葉部材であり、花冠部材１１の軸部１４と連続する軸部１６を備えている。葉部材１５の軸部１６も貫通孔を備えた筒状に形成されている。なお、葉部材１５は造花１に対して必須ではないことから省略しても良い。
【００１７】
この実施形態において、花蕊部材１３は雌しべ部１７と、雌しべ部１７周囲の雄しべ部１８と、これらを支持する軸体１９とを有している。花蕊部材１３は軸体１９が花冠部材１１の軸部１４及び葉部材１５の軸部１６を貫通することにより花冠部材１１の中央部分から上方に伸びている。この場合、花蕊部材１３としては雌しべ部１７及び雄しべ部１８を備えることなく、花冠部材１１の中央部分を貫通して上方に伸びているものであれば本実施形態の原材料の造花１として用いることができる。
【００１８】
第１ステップでは、以上の市販の造花１に対し、花蕊部材１３を矢印Ａ方向に引き上げることにより軸体１９を花冠部材１１から引き抜く。図２は花蕊部材１３を引き抜いた状態を示し、花冠部材１１の軸部１４と葉部材１５の軸部１６とが連通状態となった差し込み孔２１が花冠部材１１に形成される。なお、花冠部材１１の中央部分の軸部１４（軸部１６も同様）に貫通孔が形成されていない場合においては、針先等を差し込んで貫通させることにより差し込み孔１１を形成することができる。
【００１９】
図３は図２の状態の花冠部材１１に対しヘッド部材２３を取り付ける第２ステップを示す。ヘッド部材２３に対し、ワイヤ等からなる差し込み線材２５を取り付け、この差し込み線材２５を介してヘッド部材２３を花冠部材１１に取り付ける。ヘッド部材２３は花蕊部材１３の代替えとして組み付けるものであり、真珠等の宝玉、宝玉の模造品、ビーズ等が用いられる。差し込み線材２５がヘッド部材２３を挿通することによりヘッド部材２３に取り付けられることが加工上、簡単であり、このためヘッド部材２３としては差し込み線材２５の挿通孔が形成された真珠、ビーズ等が良好に用いられる。差し込み線材２５としては、例えば、＃３０のグリーンワイヤを用いることができるが、他の品番の手芸用ワイヤやピアノ線、その他の線材であっても良い。ヘッド部材２３を挿通した差し込み線材２５は両端部が花冠部材１１方向に伸びており、この差し込み線材２５を差し込み孔２１に差し込んで図３の矢印Ｂ方向に引き下げることにより花冠部材１１へのヘッド部材２３の配置が行われる。
【００２０】
図４はヘッド部材２３を花冠部材１１に配置した第３ステップを示す。差し込み線材２５を花冠部材１１の差し込み孔２１に差し込んだ後においては、差し込み線材２５が花冠部材１１から引き出されると共にヘッド部材２３が花冠部材１１の中央部分に配置される。このとき、ヘッド部材２３が差し込み孔２１から抜け出ないことが必要であり、このためヘッド部材２３としては差し込み孔２１の孔径よりも大きなサイズのものが使用される。ヘッド部材２３が花冠部材１１の中央部分に配置されることにより、装飾花２が形成される。この装飾花２では花冠部材１１の中央部分に配置されたヘッド部材２３を視認することにより、ヘッド部材２３の質感や色が花冠部材１１と一体となって把握される。これにより図１の造花１に比べて艶やかで興趣性のある装飾花２とすることができる。ヘッド部材２３としては、光沢や鮮やかな色彩を有したものや蓄光塗料を塗布したものを使用することにより装飾花２に華麗さを付与することができる。特に、蓄光塗料を塗布した場合には、暗所でも光るため、装飾花２としての商品価値が増大する。
【００２１】
図５は差し込み線材２５に対してテープ２６を巻き付ける第４ステップを示す。テープ２６は差し込み孔２１の出口部分を塞ぐように巻き始め、その後、差し込み線材２５を覆うように差し込み線材２５に沿って螺旋状に巻き付けられる。テープの巻き付けにより差し込み線材２５が差し込み孔２１から抜け止めされる。テープ２６の巻き付けにより、花冠部材１１の中央部分にヘッド部材２３が固定された一の装飾花２が作製される。テープ２６としては、グリーン色のものを使用することにより、テープ２６が茎部材として視認することができる。
【００２２】
以上のようにして作製した装飾花２を他の装飾花２或いは他の造花１と組み合わせる。図６は複数の装飾花２及び造花１を組み合わせた状態の一例を示す。複数の装飾花２はテープ２６が巻き付けられた差し込み線材２５を有している一方、造花１は花蕊部材１３から伸びている軸体１９を有している。これらの差し込み線材２５及び軸体１９を束ねた状態とし、この束ね状態に対し外巻きテープ２７を巻き付けて一体化する。このことにより、複数の装飾花２や造花１を組み合わせたブーケ状とすることができ、これによりフラワー装飾品３とすることができる。このフラワー装飾品３を衣服や頭髪に着用したり、外部部材に取り付ける場合においては、外巻きテープ２７の巻き付け部分を適宜の長さにカットし、外巻きテープ２７にフックや釦、マジックテープ(登録商標)等の面ファスナーやリボン等を取り付けることにより簡単に着用や取り付けを行うことができる。なお、外巻きテープ２７としては、テープ２６と同様にグリーン色のものを使用することが良好である。又、フラワー装飾品３においては、少なくとも一の装飾花２を有していれば良く、他の装飾花２や他の造花１を省いて構成することが可能である。
【００２３】
かかるフラワー装飾品３においては、装飾花２の花冠部材１１の中央部分にヘッド部材２３が配置されており、このヘッド部材２３が外側から見えるため、通常の造花とは異なった艶やかさや華やかさを備えた興趣性のあるものとすることができる。このためカーテンタッセル、ワインボトル飾り等の室内装飾や衣服、頭髪、バッグ等の携帯品へのアクセサリー等に用いることにより、希有の商品価値を備えたものとすることができる。
【００２４】
以上のフラワー装飾品３の製造では、市販の造花１を原材料とし、この造花１に対してヘッド部材２３の取り付けやテープ２６の巻き付けを行う簡単な加工で造花以上の華燭性を有したものとすることができる。このようなフラワー装飾品３の製造では、高度な技術が不要であり、容易に製造することができ、価格を抑えて提供することが可能である。
【００２５】
図７及び図８は、図６で示した束ね状態をベース布４に取り付けた状態を示す。ベース布４はクロッシェレース材が用いられている。図６に示す外巻きテープ２７を適宜の長さにカットし、外巻きテープ２７にベース布４を被せる。これにより外巻きテープ２７が外部から見えることがなくなる。ベース布４を被せた後、束ねられている装飾花２の花冠部材１１又は造花１の花冠部材１１を糸によってベース布４に縫い付ける。このことによりベース布４が裏側に設けられたフラワー装飾品３とすることができる。
【００２６】
ベース布４に対しては、リボン３１を取り付けることが良好である。リボン３１はベース布４の両端部に結びつけることによりベース布４に取り付けられる。取り付けられたリボン３１はフラワー装飾品３から伸びており、リボン３１の両端部を縛り付けることにより、衣服、帽子やシューズ、カーテンやテーブルクロス等の室内装飾品等の外部部材へのフラワー装飾品３の取り付けを簡単に行うことができる。また、リボン３１をほどくことによりフラワー装飾品３の取り外しを容易に行うことができ、使用上便利となる。なお、リボン３１に代えて、他の紐材やフック、釦、クリップなどをフラワー装飾品３に取り付けて外部部材への着脱を行っても良い。
【００２７】
図９及び図１０は本発明の別の実施形態を示す。この実施形態では、ヘッド部材としてリング体３３を用いるものであり、差し込み線材２５がリング体３３に連結されている。差し込み線材２５は造花１の花冠部材１１の軸部１４に形成された差し込み孔２１に差し込まれる。このことによりリング体３３が花冠部材１１の中央部分に配置される。
【００２８】
ヘッド部材２３としてのリング体３３は、操作ピン３４を備えており、この操作ピン３４を操作することにより一部が開閉可能となっている。これによりリング体３３は真珠等の宝玉、その模造品、ガラス玉やビーズ等の身飾品３５（図１０参照）を交換可能に取り付けることができる。身飾品３５を交換することにより装飾花２を変化可能とすることができ、興趣性が向上する。
【００２９】
本発明は以上の実施形態に限定されることなく種々変形が可能である。例えば、複数の花冠部材１１を上下に組み付け、この組み付け状態の花冠部材１１の集合体に対して、ヘッド部材２３又はリング体３３に取り付けられた差し込み線材２５を差し込んで装飾花２を形成しても良い。これにより装飾性が向上した装飾花２及びフラワー装飾品３を作製することができる。
【符号の説明】
【００３０】
１  造花
２  装飾花
３  フラワー装飾品
４  ベース布
１１  花冠部材
１２  花弁
１３  花蕊部材
１９  軸体
２１  差し込み孔
２３  ヘッド部材
２５  差し込み線材
２６  テープ
３３  リング体
３５  身飾品
【図１】
2015001032.tif 000003
【図２】
2015001032.tif 000004
【図３】
2015001032.tif 000005
【図４】
2015001032.tif 000006
【図５】
2015001032.tif 000007
【図６】
2015001032.tif 000008
【図７】
2015001032.tif 000009
【図８】
2015001032.tif 000010
【図９】
2015001032.tif 000011
【図１０】
2015001032.tif 000012